(57)【要約】【課題】記憶装置に対する衝撃を十分に軽減することができ、しかも組付作業や交換作業を容易に行うことを可能とする緩衝部材、及び該緩衝部材を用いた電子機器を提供する。【解決手段】緩衝部材１６は、記憶装置１２の連続する３つの側面１２ａ〜１２ｃを囲うように配置される３つの板状部材３０ａ〜３０ｃを有し、少なくとも１つを変形可能に構成した枠体３０と、枠体３０の両側部に位置する２つの板状部材３０ａ，３０ｃの内面から内方へとそれぞれ突出し、記憶装置１２の側面１２ａ，１２ｃに設けられた係合穴であるねじ穴２８に係合可能な弾性体のピン３２，３４とを備え、記憶装置１２への筐体１４からの衝撃を吸収し軽減する。【選択図】図３
2014146399.tif 000002
【特許請求の範囲】
【請求項１】
電子機器に搭載される記憶装置に対する衝撃を軽減する緩衝部材であって、
前記記憶装置の連続する３つの側面を囲うように配置される３つの板状部材を有し、少なくとも１つの板状部材を変形可能に構成した枠体と、
前記枠体の両側部に位置する２つの板状部材の内面から内方へとそれぞれ突出し、前記記憶装置の側面に設けられた係合穴に係合可能な弾性体のピンと、
を備えることを特徴とする緩衝部材。
【請求項２】
請求項１記載の緩衝部材において、
当該緩衝部材が前記記憶装置に取り付けられた状態で、少なくとも前記枠体の両側部に位置する２つの板状部材の上端面及び下端面は、前記記憶装置の上面及び下面よりも上方及び下方にそれぞれ突出した位置となることを特徴とする緩衝部材。
【請求項３】
請求項１又は２記載の緩衝部材において、
前記係合穴の内周面には、凹部が設けられており、
前記ピンは、前記板状部材から突出した軸部と、該軸部よりも大径で先端側に設けられ、前記凹部と係合可能な係合爪部とを有することを特徴とする緩衝部材。
【請求項４】
請求項３記載の緩衝部材において、
前記係合穴は、ねじ穴であることを特徴とする緩衝部材。
【請求項５】
請求項１〜４のいずれか１項に記載の緩衝部材において、
前記枠体の両側部に位置する２つの板状部材の間を繋ぐ板状部材の内面には、前記記憶装置の側面に当接する弾性板が設けられていることを特徴とする緩衝部材。
【請求項６】
請求項１〜５のいずれか１項に記載の緩衝部材において、
前記枠体の両側部に位置する２つの板状部材の間を繋ぐ板状部材の外面には、当該緩衝部材を前記電子機器の筐体に対して固定するための取付孔を有する突出片が設けられていることを特徴とする緩衝部材。
【請求項７】
緩衝部材を用いて記憶装置を弾性支持した状態で筐体の内部に収納する電子機器であって、
前記緩衝部材は、前記記憶装置の連続する３つの側面を囲うように配置される３つの板状部材を有し、少なくとも１つの板状部材を変形可能に構成した枠体と、
前記枠体の両側部に位置する２つの板状部材の内面から内方へとそれぞれ突出し、前記記憶装置の側面に設けられた係合穴に係合可能な弾性体のピンとを備え、
前記記憶装置の係合穴に前記ピンが係合され、少なくとも前記枠体の両側部に位置する２つの板状部材の上端面及び下端面が前記筐体に当接した状態で、前記記憶装置が前記筐体の内部に収納されることを特徴とする電子機器。
【請求項８】
請求項７記載の電子機器において、
前記記憶装置が前記電子機器の内部に収納された状態で、該記憶装置の上面及び下面は、前記筐体から離間した位置にあることを特徴とする電子機器。
【発明の詳細な説明】
【技術分野】
【０００１】
本発明は、電子機器に搭載される記憶装置に対する衝撃を軽減する緩衝部材、及び該緩衝部材を用いた電子機器に関する。
【背景技術】
【０００２】
磁気ディスク装置、半導体メモリ、光ディスク装置等の記憶装置は小型軽量化が急速に進んでおり、ノートブック型のパーソナルコンピュータ（ノート型ＰＣ）だけでなく、タブレット型のパーソナルコンピュータ（タブレット型ＰＣ）や携帯型の音楽プレーヤー等の各種の電子機器に搭載されている。
【０００３】
例えば、磁気ディスク装置は、回転する磁気ディスク上を、ヘッドを搭載したスライダが極わずかの間隔で浮上しながらデータの書き込みを行う。このため、記録動作モードにおいて外部から衝撃が加えられるとヘッドと磁気ディスクの間隔が変化したり、目標トラックからの位置ずれが発生したりして書き込みエラーが発生する可能性がある。
【０００４】
このため、磁気ディスク装置等の記憶装置は、それ自体にさまざまな耐衝撃機能を備えているが、記憶装置を搭載する電子機器においても、記憶装置に対する衝撃を軽減する対策が必要とされている。記憶装置に対する衝撃を軽減する技術として、本出願人は磁気ディスク装置の衝撃を緩衝部材によって軽減する構成を提案している（例えば、特許文献１参照）。
【先行技術文献】
【特許文献】
【０００５】
【特許文献１】特開２００８−２８２５０５号公報
【発明の概要】
【発明が解決しようとする課題】
【０００６】
ところで、ノート型ＰＣ等の電子機器は、筐体内部に余分なスペースが少ないため、十分な衝撃軽減性能を有しつつも、記憶装置の取付作業や交換作業を容易に行えることが望ましい。また、利便性や拡張性等の観点からも、電子機器では、記憶装置を簡単に交換できることが好ましい。
【０００７】
本発明は、上記従来技術の課題を考慮してなされたものであり、記憶装置に対する衝撃を十分に軽減することができ、しかも組付作業や交換作業を容易に行うことを可能とする緩衝部材、及び該緩衝部材を用いた電子機器を提供することを目的とする。
【課題を解決するための手段】
【０００８】
本発明に係る緩衝部材は、電子機器に搭載される記憶装置に対する衝撃を軽減する緩衝部材であって、前記記憶装置の連続する３つの側面を囲うように配置される３つの板状部材を有し、少なくとも１つの板状部材を変形可能に構成した枠体と、前記枠体の両側部に位置する２つの板状部材の内面から内方へとそれぞれ突出し、前記記憶装置の側面に設けられた係合穴に係合可能な弾性体のピンとを備えることを特徴とする。
【０００９】
また、本発明に係る電子機器は、緩衝部材を用いて記憶装置を弾性支持した状態で筐体の内部に収納する電子機器であって、前記緩衝部材は、前記記憶装置の連続する３つの側面を囲うように配置される３つの板状部材を有し、少なくとも１つの板状部材を変形可能に構成した枠体と、前記枠体の両側部に位置する２つの板状部材の内面から内方へとそれぞれ突出し、前記記憶装置の側面に設けられた係合穴に係合可能な弾性体のピンとを備え、前記記憶装置の係合穴に前記ピンが係合され、少なくとも前記枠体の両側部に位置する２つの板状部材の上端面及び下端面が前記筐体に当接した状態で、前記記憶装置が前記筐体の内部に収納されることを特徴とする。
【００１０】
このような構成によれば、緩衝部材は、板状部材を適宜変形させつつ、３つの板状部材で記憶装置の３つの側面を覆うと共に、弾性体のピンを記憶装置の係合穴に係合させることで記憶装置に取り付けることができる。このため、緩衝部材の記憶装置への組付作業及び交換作業が極めて容易に行うことができる。しかも、ピンが弾性体によって構成されるため、電子機器の筐体に付与された衝撃は、ピンで吸収されて記憶装置へはほとんど伝達されることがなく、記憶装置に対する衝撃を十分に軽減することができる。
【００１１】
当該緩衝部材が前記記憶装置に取り付けられた状態で、少なくとも前記枠体の両側部に位置する２つの板状部材の上端面及び下端面は、前記記憶装置の上面及び下面よりも上方及び下方にそれぞれ突出した位置となることが好ましい。また、前記記憶装置が前記電子機器の内部に収納された状態で、該記憶装置の上面及び下面は、前記筐体から離間した位置にあることが好ましい。そうすると、緩衝部材を装着した記憶装置を電子機器内に搭載した場合に、少なくとも両側部に位置する２つの板状部材が筐体の天板と底板との間で支持され、記憶装置が弾性体であるピンによって筐体内で宙吊り状態で弾性的にフローティング支持される。従って、筐体に衝撃が加えられた場合であっても、記憶装置がフローティング状態で揺動するため、該記憶装置に伝達される衝撃を大幅に軽減することができる。
【００１２】
前記係合穴の内周面には、凹部が設けられており、前記ピンは、前記板状部材から突出した軸部と、該軸部よりも大径で先端側に設けられ、前記凹部と係合可能な係合爪部とを有すると、ピンを係合穴に挿入した際に、係合爪部が凹部に係合するため、ピンの確実な抜け止めを果たすことができ、さらに、挿入時には係合爪部と凹部との間でクリック音が生じるため、係合状態の把握が容易となり、組付作業の効率が一層向上する。
【００１３】
この場合、前記係合穴は、ねじ穴であると、一般的な磁気ディスク装置等の記憶装置に設けられた固定用等のねじ穴を利用して、緩衝部材を固定することができる。また、係合穴をねじ穴とすると、その穴加工が容易となり、しかもピンとの係合位置を複数段設けておくことができるため、組立作業が一層容易なものとなり、取付後の安定性も向上する。
【００１４】
前記枠体の両側部に位置する２つの板状部材の間を繋ぐ板状部材の内面には、前記記憶装置の側面に当接する弾性板が設けられていると、前後方向の衝撃を弾性板でも吸収することが可能となる。
【００１５】
前記枠体の両側部に位置する２つの板状部材の間を繋ぐ板状部材の外面には、当該緩衝部材を前記電子機器の筐体に対して固定するための取付孔を有する突出片が設けられてもよい。
【発明の効果】
【００１６】
本発明によれば、緩衝部材の記憶装置への組付作業及び交換作業が極めて容易に行うことができる。しかも、ピンが弾性体によって構成されるため、電子機器の筐体に付与された衝撃は、ピンで吸収されて記憶装置へはほとんど伝達されることがなく、記憶装置に対する衝撃を十分に軽減することができる。
【図面の簡単な説明】
【００１７】
【図１】図１は、本発明の一実施形態に係る電子機器の構成を示す斜視図である。
【図２】図２は、図１に示す電子機器に搭載される記憶装置から、本発明の一実施形態に係る緩衝部材と、シールド部材とを取り外した状態での分解斜視図である。
【図３】図３は、図２に示す記憶装置にシールド部材を装着した状態での分解斜視図である。
【図４】図４は、図３に示す記憶装置に緩衝部材を取り付けた状態での斜視図である。
【図５】図５は、緩衝部材を介して記憶装置を筐体にフローティング状態で弾性支持した状態での縦断面図である。
【図６】図６は、緩衝部材の記憶装置への取付方法の一例を模式的に示す動作図であり、図６（Ａ）は、一方の板状部材を記憶装置の一方の側面に固定した状態を示す図であり、図６（Ｂ）は、図６（Ａ）に示す状態から他方の板状部材を記憶装置の他方の側面に固定し、緩衝部材を記憶装置に固定した状態を示す図である。
【図７】図７は、ピンと係合する係合穴の変形例を示す要部拡大縦断面図である。
【発明を実施するための形態】
【００１８】
以下、本発明に係る緩衝部材について、この緩衝部材を用いた電子機器との関係で好適な実施の形態を挙げ、添付の図面を参照しながら詳細に説明する。
【００１９】
図１は、本発明の一実施形態に係る電子機器１０の構成を示す斜視図である。電子機器１０は、磁気ディスク装置（ハードディスクドライブ：ＨＤＤ）からなる記憶装置１２を、筐体１４の内部に緩衝部材１６を介して弾性支持した状態で収納することにより、筐体１４から記憶装置１２へと伝達される衝撃を軽減することができる。電子機器１０としては、ノート型ＰＣ以外にも、タブレット型ＰＣや携帯型の音楽プレーヤー等、各種の電子機器を例示できる。また、記憶装置１２についても、磁気ディスク装置以外にも、半導体メモリや光ディスク装置等、電子機器に搭載される各種の記憶装置を例示できる。
【００２０】
図１に示すように、電子機器１０は、一般的なノート型ＰＣであり、筐体１４と、筐体１４の天板１４ａの一部に配置されるキーボード１８と、筐体１４の上面を開閉する蓋体２０とを備える。筐体１４は、天板１４ａ及び底板１４ｂを有し、内部に図示しない基板、演算装置、冷却装置、及びバッテリーパック等を収納した箱体であり、天板１４ａの開口部からキーボード１８が上部に露出している。蓋体２０は、筐体１４に対し、ヒンジ２２によって回動可能に設けられている。蓋体２０の内面には、液晶等からなるディスプレイ２４が設けられている。本実施形態の場合、記憶装置１２は、筐体１４内でキーボード１８の手前右側となる位置に、緩衝部材１６を介して収納・固定されている。
【００２１】
次に、本実施形態に係る緩衝部材１６の構成、及びこれを用いた記憶装置１２の支持構造について説明する。
【００２２】
図２は、図１に示す電子機器１０に搭載される記憶装置１２から、本発明の一実施形態に係る緩衝部材１６と、シールド部材２６とを取り外した状態での分解斜視図である。図３は、図２に示す記憶装置１２にシールド部材２６を装着した状態での分解斜視図であり、図４は、図３に示す記憶装置１２に緩衝部材１６を取り付けた状態での斜視図である。また、図５は、緩衝部材１６を介して記憶装置１２を筐体１４にフローティング状態で弾性支持した状態での縦断面図である。
【００２３】
上記したように、本実施形態の場合、記憶装置１２は、磁気ディスク装置（ハードディスクドライブ：ＨＤＤ）であり、左右の側面１２ａ，１２ｃにねじ穴（係合穴）２８がそれぞれ２つずつ設けられている。ねじ穴２８は、磁気ディスク装置に一般的に設けられる規格上の取付穴である。記憶装置１２において、図２中で後面となる側面１２ｂは平坦な面であり、図２中で前面となる側面１２ｄには電子機器１０に設けられた図示しない配線コネクタが着脱される端子台２９が設けられている。
【００２４】
シールド部材２６は、薄い金属製の電磁波シールドフィルムである。シールド部材２６は、両面テープや接着剤等により、側面１２ｄ及び上面１２ｅを除く記憶装置１２の側面１２ａ〜１２ｃ及び下面１２ｆに対して固着される（図３参照）。シールド部材２６には、記憶装置１２のねじ穴２８を露出させるための逃げ孔２６ａが形成されている。
【００２５】
図２〜図４に示すように、緩衝部材（衝撃吸収ブラケット）１６は、３つの板状部材３０ａ，３０ｂ，３０ｃで構成されたコの字状の枠体３０と、枠体３０の両側部（両端）で互いに向かい合う２つの板状部材３０ａ，３０ｃの内面から内方へと前後２箇所からそれぞれ突出した弾性体のピン３２，３４とを備える。
【００２６】
枠体３０は、記憶装置１２に対して、３つの板状部材３０ａ〜３０ｃが連続する３つの側面１２ａ〜１２ｃをそれぞれ囲うように配置される。板状部材３０ａ〜３０ｃは、例えば樹脂材料や金属材料の薄板によって一体的に成形されており、隣接する板状部材３０ａ〜３０ｃの端部同士が直角に屈曲成形されることでコの字状の枠体３０を構成している。３枚の薄板からなる板状部材３０ａ〜３０ｃを一体的に成形しているため、各板状部材３０ａ〜３０ｃは、少なくともその長手方向に交差する首振り方向に弾性変形可能となっている。
【００２７】
すなわち、両側部の板状部材３０ａ，３０ｃを手で把持して両側方に離間するように広げると、これら両側部の板状部材（アーム）３０ａ，３０ｃと中央の板状部材（ベース）３０ｂの根元部分を基点として、各板状部材３０ａ〜３０ｃが弾性変形し、枠体３０を容易に広げることができる（図３中の２点鎖線、及び図６も参照）。枠体３０は、１枚の長尺な薄板を２箇所で直角に屈曲させることで３枚の板状部材３０ａ〜３０ｃとして構成したものであってもよい。
【００２８】
各板状部材３０ａ〜３０ｃの上端面には、その長手方向の大部分に渡って上方に突出する突出板３６が設けられている。突出板３６は、記憶装置１２に緩衝部材１６を取り付けた状態で、その上端面３７ａが記憶装置１２の上面１２ｅより上方に、例えば０．７５ｍｍ程度突出した位置となり、筐体１４の天板１４ａに当接する（図５参照）。また、図５から明らかな通り、記憶装置１２に緩衝部材１６を取り付けた状態で、板状部材３０ａ〜３０ｃの下端面３７ｂは、記憶装置１２の下面１２ｆより下方に、例えば０．７５ｍｍ程度突出した位置となり、筐体１４の底板１４ｂに当接する。突出板３６を設けることにより、緩衝部材１６の筐体１４（天板１４ａ）への位置決めが容易となり、また衝撃吸収性能も向上する。勿論、突出板３６は省略してもよく、また、枠体３０の下端面にも突出板３６と同様なものを設けてもよい。
【００２９】
なお、図５には図示していないが、両側部の板状部材３０ａ，３０ｃの上端面３７ａ及び下端面３７ｂのみならず、中央の板状部材３０ｂの上端面３７ａ及び下端面３７ｂについても筐体１４の天板１４ａ及び底板１４ｂに当接支持される。但し、中央の板状部材３０ｂは必ずしも筐体１４に当接支持される必要はなく、少なくともピン３２，３４が設けられた両側部の板状部材３０ａ，３０ｃが筐体１４に当接支持されていればよい。
【００３０】
中央の板状部材３０ｂの外面中央部には、外方へと突出する金属製の薄板からなる突出片３８が設けられている。突出片３８は、その基端部３８ａを板状部材３０ｂの中央部に形成された孔部３９に挿通させて上下左右に折り曲げることで該板状部材３０ｂに固定されている（図２参照）。突出片３８の略中央には、板厚方向に貫通する取付孔３８ｂが形成されている（図３参照）。取付孔３８ｂは、緩衝部材１６を装着した記憶装置１２を電子機器１０の筐体１４に固定する際に、固定ねじ４０を挿通させる孔部である（図１及び図５参照）。
【００３１】
中央の板状部材３０ｂの内面には、突出片３８の取付部となる孔部３９の両脇に、一対の弾性板４１，４１が設けられている。弾性板４１は、板状部材３０ｂに固着された薄板状のゴムシートであり、後述の基部４２と同様に２色成形によって板状部材３０ｂに固定されている。
【００３２】
次に、ピン３２，３４は、図２に示すように、両側部の板状部材３０ａ，３０ｃに対してそれぞれ固着された帯状の基部４２の内面の前後２箇所から内方へと突出している。ピン３２，３４及び基部４２は、ゴム材料等からなる弾性体で形成されている。ピン３２，３４及び基部４２は、両側部の板状部材３０ａ，３０ｃに対して２色成形（ダブルモールド）によって固着され、ピン３２，３４と基部４２は一体成形となっている。より具体的には、図５に示すように、基部４２は、板状部材３０ａ，３０ｃの長手方向に沿って形成された板厚方向の段付き孔部４４を埋めるように２色成形され、その内面側にピン３２，３４を突出させている。
【００３３】
このように弾性体で形成されたピン３２，３４は、図５に示すように、基部４２から突出する軸部（中間部）４６と、軸部４６よりも大径で先端側に設けられ、記憶装置１２のねじ穴２８の凹部２８ａと係合可能な係合爪部（嵌合部、拡径部）４８とを備える。これにより、ピン３２，３４は、基端側（基部４２側）から先端側に向かって、軸部４６で一旦縮径した後、係合爪部４８で再び拡径する滑らかな段付き形状となっている。ピン３２，３４の形状は、基端側から先端側に向かって同径で延び、先端にのみ拡径したリング状の係合爪部を設けた形状であってもよく、さらには、基端側から先端側まで同径又は略同径の円柱形状であってもよく、要は、ねじ穴２８に嵌合可能な形状であればよい。
【００３４】
図６に、緩衝部材１６の記憶装置１２への取付方法の一例を模式的に示す。
【００３５】
緩衝部材１６を記憶装置１２に取り付ける場合には、先ず、図６（Ａ）に示すように、両側部の板状部材３０ａ，３０ｃのうち、一方の板状部材３０ｃを記憶装置１２の側面１２ｃに対応配置し、その内面のピン３２，３４を各ねじ穴２８へと挿入して適度な位置まで進入させ、係合爪部４８を所定の凹部２８ａに係合させる。なお、緩衝部材１６を取り付けるのに先立ち、記憶装置１２にはシールド部材２６が予め装着されている
【００３６】
続いて、図６（Ａ）に示すように、記憶装置１２の側面１２ｃに固定した板状部材３０ｃを基点とし、中央の板状部材３０ｂ及び他方の板状部材３０ａを外方へと変形させつつ、これら板状部材３０ａ，３０ｂの内面を記憶装置１２の側面１２ａ，１２ｂに対応配置させる。なお、本実施形態では、全ての板状部材３０ａ〜３０ｃが変形可能な構成を例示しているが、図６から明らかな通り、３つの板状部材３０ａ〜３０ｃのうち、少なくとも１つが変形可能であれば、緩衝部材１６（枠体３０）を記憶装置１２の周囲に配置することが可能である。
【００３７】
そして、図６（Ｂ）に示すように、中央の板状部材３０ｂの内面の弾性板４１を記憶装置１２の側面１２ｂに当接させ、さらに、他方の板状部材３０ａの内面のピン３２，３４を記憶装置１２の側面１２ａの各ねじ穴２８へと挿入して適度な位置まで進入させ、係合爪部４８を所定の凹部２８ａに係合させる。これにより、緩衝部材１６が記憶装置１２に対して固定されるため、必要に応じて、両側部の板状部材３０ａ，３０ｃを記憶装置１２側にさらに押圧し、板状部材３０ａ，３０ｃがぐらつかない位置までピン３２，３４をねじ穴２８内の奥部へと押し込んで凹部２８ａと係合させる。
【００３８】
以上により、緩衝部材１６の記憶装置１２への固定が完了する（図４、図５及び図６（Ｂ）参照）。
【００３９】
続いて、緩衝部材１６が装着された記憶装置１２を電子機器１０に取り付ける場合には、先ず、筐体１４の底板１４ｂを取り外した状態で、図５に示すように、筐体１４の内部の所定位置に緩衝部材１６を装着した記憶装置１２を載置する。そして、突出片３８の取付孔３８ｂに固定ねじ４０を挿通させ、天板１４ａ側の図示しないねじ穴に締結する。そうすると、板状部材３０ａ〜３０ｃの上端面３７ａが天板１４ａの内面に着地した状態となる。
【００４０】
そこで、底板１４ｂを図示しない止めねじ等を用いて固定することにより、板状部材３０ａ〜３０ｃの下端面３７ｂが底板１４ｂの内面に着地した状態となり、緩衝部材１６が天板１４ａと底板１４ｂとの間で突っ張った状態で挟持・支持される。これにより、図５に示すように、弾性体であるピン３２，３４によって記憶装置１２が筐体１４内で宙吊り状態で弾性的にフローティング支持される。従って、筐体１４に衝撃が加えられた場合であっても、図５中に矢印で示すように記憶装置１２がフローティング状態で揺動するため、伝達される衝撃は大幅に軽減されることになる。
【００４１】
以上のように、本実施形態に係る緩衝部材１６によれば、記憶装置１２の連続する３つの側面１２ａ〜１２ｃを囲うように配置される３つの板状部材３０ａ〜３０ｃを有し、少なくとも１つを変形可能に構成した枠体３０と、枠体３０の両側部に位置する２つの板状部材３０ａ，３０ｃの内面から内方へとそれぞれ突出し、記憶装置１２の側面１２ａ，１２ｃに設けられた係合穴であるねじ穴２８に係合可能な弾性体のピン３２，３４とを備える。
【００４２】
従って、緩衝部材１６では、３つの板状部材３０ａ〜３０ｃを適宜変形させつつ、３つの板状部材３０ａ〜３０ｃで記憶装置１２の３つの側面１２ａ〜１２ｃを覆うと共に、弾性体のピン３２，３４を記憶装置１２のねじ穴２８に係合させることで記憶装置１２に取り付けることができる（図６参照）。このため、緩衝部材１６の記憶装置１２への組付作業及び交換作業を極めて容易に行うことができる。しかも、ピン３２，３４が弾性体によって構成されるため、電子機器１０の筐体１４に付与された衝撃は、ピン３２，３４での弾性的なせん断変形により吸収されるため、記憶装置１２へはほとんど伝達されることがなく、記憶装置１２に対する衝撃を十分に軽減することができる。
【００４３】
緩衝部材１６は、３つの板状部材３０ａ〜３０ｃによってコの字状（Ｕ字状）の枠体３０を構成しているため、作業者が手で把持し易く記憶装置１２への組付けが容易である。反面、記憶装置１２から取り外す際には作業者等が意図的に両側部の板状部材３０ａ，３０ｃのピン３２，３４をねじ穴２８から引き抜く必要がある。このため、緩衝部材１６が意図せずに記憶装置１２から外れてしまうことを回避することができると共に、意図して取り外したい場合には、ピン３２，３４をねじ穴２８から引き抜けくだけでよいため、交換作業等が容易である。
【００４４】
緩衝部材１６は、枠体３０及び該枠体３０に固定したピン３２，３４で構成され、取り扱い上は１部品のみの構成となっている。このため、緩衝部材１６は、記憶装置１２への取付作業が容易であり、製造時の量産性も高い。しかも、記憶装置１２は、緩衝部材１６を取り付けた状態であっても、その外形は薄い板状部材３０ａ〜３０ｃの板厚分のみが大きくなるだけとなり、重量の増加も少ないものとなる。このため、筐体１４の内部での収納スペースが小さい場合であっても緩衝部材１６を取り付けた記憶装置１２を容易に収納することができ、電子機器１０の小型・薄型化、さらに軽量化も可能となる。
【００４５】
図５に示すように、緩衝部材１６が記憶装置１２に取り付けられた状態で、少なくとも枠体３０の両側部に位置する２つの板状部材３０ａ，３０ｃの上端面３７ａ及び下端面３７ｂは、記憶装置１２の上面１２ｅ及び下面１２ｆよりも上方及び下方にそれぞれ突出した位置となる。換言すれば、記憶装置１２が電子機器１０の内部に収納された状態で、該記憶装置１２の上面１２ｅ及び下面１２ｆは、筐体１４から、例えば０．７５ｍｍ程度離間した位置にある。
【００４６】
これにより、緩衝部材１６を装着した記憶装置１２を電子機器１０内に搭載した場合に、板状部材３０ａ，３０ｃが筐体１４の天板１４ａと底板１４ｂとの間で突っ張った状態で挟持・支持され、弾性体であるピン３２，３４によって記憶装置１２が筐体１４内で宙吊り状態で弾性的にフローティング支持される。従って、筐体１４に衝撃が加えられた場合であっても、記憶装置１２がフローティング状態で揺動するため、該記憶装置１２に伝達される衝撃を大幅に軽減することができる。換言すれば、緩衝部材１６では、ピン３２，３４の径を変更するだけで、ピン３２，３４のばね定数を適宜設定変更することができるため、各種の重量や外形からなる記憶装置１２に最適なばね定数を有する衝撃吸収構造を容易に構築することができる。
【００４７】
記憶装置１２のねじ穴２８の内周面には、凹部２８ａが設けられており、ピン３２，３４は、板状部材３０ａ，３０ｃから突出した軸部４６と、該軸部４６よりも大径で先端側に設けられ、凹部２８ａと係合可能な係合爪部４８とを有する。これにより、ピン３２，３４をねじ穴２８に挿入した際に、係合爪部４８が凹部２８ａに係合するため、ピン３２，３４の確実な抜け止めを果たすことができる。さらに、ピン３２，３４の挿入時には係合爪部４８とねじ穴２８の凹凸形状との間でクリック音が生じるため、係合状態の把握が容易となり、組付作業の効率が一層向上する。また、ピン３２，３４では、先端側に大径の係合爪部４８を設けたため、ねじ穴２８に対して組付け易く且つ外れにくい形状となっており、緩衝部材１６の組立性及び取付後の安定性が一層向上する。
【００４８】
この場合、ピン３２，３４が係合する記憶装置１２の係合穴をねじ穴２８とすると、一般的な磁気ディスク装置に設けられた固定用のねじ穴２８を利用して、緩衝部材１６を固定することができ、汎用性も高い。また、係合穴をねじ穴２８とすると、その穴加工が容易となり、しかもピン３２，３４との係合位置を複数段設けておくことができるため係合位置の調整が容易となる。さらに、係合時のクリック音が連続的に発生するため、組立作業も一層容易なものとなる。
【００４９】
ピン３２，３４を係合させる記憶装置１２側の係合穴は、ねじ穴２８以外であってもよく、ピン３２，３４の係合爪部４８と係合可能な凹凸形状を有する穴であればよい。例えば、図７に示すように、ねじ穴２８に代えて、凹部５０ａが奥側に１箇所形成された係合穴５０として形成してもよい。また、ピン３２，３４と係合穴とは互いに係合可能（嵌合可能）であればよいことから、必ずしも互いの凹凸形状（係合爪部４８、及び凹部２８ａ，５０ａ）は必要ではなく、例えば、弾性体であるピンの外径を係合穴の内径よりも多少大きく形成しておき、その抜け止めを図った構成等としてもよい。
【００５０】
緩衝部材１６では、枠体３０の両側部の板状部材３０ａ，３０ｃの間を繋ぐ中央の板状部材３０ｂの内面に、記憶装置１２の側面１２ｂに当接する弾性板４１が設けられている。このため、左右の板状部材３０ａ，３０ｃのピン３２，３４によって記憶装置１２への上下左右前後方向の衝撃を有効に軽減することができ、さらに、前後方向の衝撃を弾性板４１で一層軽減することが可能となる。
【００５１】
なお、本発明は、上記した実施形態に限定されるものではなく、本発明の主旨を逸脱しない範囲で自由に変更できることは勿論である。
【００５２】
例えば、上記実施形態では、緩衝部材１６の枠体３０を構成する板状部材３０ａ〜３０ｃは、薄板部材によって一体的に成形することで、記憶装置１２への取付時の変形性を確保する構成とした。しかしながら、例えば、各板状部材３０ａ〜３０ｃを別部品で構成し、両側部の板状部材３０ａ，３０ｃと中央の板状部材３０ｂの根元部分を薄板状のシート部材等からなるヒンジで連結し、記憶装置１２への取付時の変形性を確保する構成としてもよい。
【００５３】
また、上記実施形態では、緩衝部材１６を装着した記憶装置１２を電子機器１０の筐体１４内に載置・固定する構成を例示したが、記憶装置１２は筐体１４に設けられた図示しないスロットに対して挿脱可能な構成としてもよく、この構成の場合には、突出片３８を記憶装置１２の引出し用の取っ手として利用することもできる。
【符号の説明】
【００５４】
１０  電子機器
１２  記憶装置
１２ａ〜１２ｄ  側面
１２ｅ  上面
１２ｆ  下面
１４  筐体
１４ａ  天板
１４ｂ  底板
１６  緩衝部材
２８  ねじ穴
２８ａ，５０ａ  凹部
３０  枠体
３０ａ〜３０ｃ  板状部材
３２，３４  ピン
３６  突出板
３７ａ  上端面
３７ｂ  下端面
３８  突出片
３８ａ  基端部
３８ｂ  取付孔
４０  固定ねじ
４１  弾性板
４２  基部
４６  軸部
４８  係合爪部
５０  係合穴
【図１】
2014146399.tif 000003
【図２】
2014146399.tif 000004
【図３】
2014146399.tif 000005
【図４】
2014146399.tif 000006
【図５】
2014146399.tif 000007
【図６】
2014146399.tif 000008
【図７】
2014146399.tif 000009